【手続補正書】
【提出日】平成16年3月1日(2004.3.1)
【手続補正１】
【補正対象書類名】明細書
【補正対象項目名】特許請求の範囲
【補正方法】変更
【補正の内容】
【特許請求の範囲】
【請求項１】
下記式Ｉ
【化１】
1998029997.tif 000001
（式中、Ｒ1は炭素原子数１ないし４のアルキル基を表わし、
Ｒ2は水素原子、炭素原子数１ないし４のアルキル基もしくは炭素原子数１ないし４のアルコキシ基を表わし、そして
Ｒ3、Ｒ4、Ｒ5、Ｒ6およびＲ7は互いに独立して水素原子、ハロゲン原子、炭素原子数１ないし２０のアルキル基、シクロペンチル基、シクロヘキシル基、炭素原子数２ないし１２のアルケニル基、又はフェニル基で置換された炭素原子数１ないし４のアルキル基、又は未置換か或いは炭素原子数１ないし４のアルキル基および／または炭素原子数１ないし４のアルコキシ基によってモノ−或いはジ−置換されているフェニル基を表わし、
但し、Ｒ3、Ｒ4、Ｒ5、Ｒ6およびＲ7の少なくとも一つは水素原子以外を表わし、そしてＲ1およびＲ2がメチル基を表わすか、又はＲ1がメチル基を表わしＲ2が水素原子を表わすか、又はＲ1がメチル基を表わしＲ2がブチル基を表わす場合、Ｒ3およびＲ6は同時にメチル基を表わすことはなく、そして、
Ｒ1およびＲ2がメチル基を表わすか、又はＲ1がメチル基を表わしＲ2が水素原子を表わし、Ｒ3、Ｒ4、Ｒ6およびＲ7が水素原子を表わす場合、Ｒ5はメチル基を表わさない。）で表わされる化合物。
【請求項２】
少なくとも１つの下記式（Ｉａ）
【化２】
1998029997.tif 000002
（式中、
Ｒ1が炭素原子数１ないし４のアルキル基を表わし；
Ｒ2は水素原子、炭素原子数１ないし４のアルキル基又は炭素原子数１ないし４のアルコキシ基を表わし、そして
Ｒ3、Ｒ4、Ｒ5、Ｒ6およびＲ7は互いに独立して水素原子、ハロゲン原子、炭素原子数１ないし２０のアルキル基、シクロペンチル基、シクロヘキシル基、炭素原子数２ないし１２のアルケニル基、１ないしそれ以上の酸素原子によって中断された炭素原子数２ないし１８のアルキル基、或いはフェニル基で置換された炭素原子数１ないし４のアルキル基、又は未置換か或いは炭素原子数１ないし４のアルキル基および／または炭素原子数１ないし４のアルコキシ基によってモノ−或いはジ−置換されているフェニル基を表わす。）で表わされる化合物；
および少なくとも１つの下記式ＩＩ
【化３】
1998029997.tif 000003
〔式中、Ｒ8が水素原子、炭素原子数１ないし１８のアルキル基、炭素原子数１ないし１８のアルコキシ基、−ＯＣＨ2ＣＨ2─ＯＲ12、
【化４】
1998029997.tif 000004
の基または
【化５】
1998029997.tif 000005
（式中，Ｉは２から１０の数を表わし、そしてＡは
【化６】
1998029997.tif 000006
の基を表わす。）の基を表わし、
Ｒ9およびＲ10は互いに独立して水素原子、炭素原子数１ないし６のアルキル基、フェニル基、炭素原子数１ないし１６のアルコキシ基、ＯＳｉＲ13Ｒ14Ｒ14a、若しくは−Ｏ（ＣＨ2ＣＨ2Ｏ）q−炭素原子数１ないし１６のアルキル基（式中、ｑは１から２０の数を表わす。）を表わすか、或いは
Ｒ9およびＲ10はそれらが結合する炭素原子と一緒になってシクロヘキシル環を形成し；
Ｒ11はヒドロキシル基、炭素原子数１ないし１６のアルコキシ基、若しくは−Ｏ（ＣＨ2ＣＨ2Ｏ）q−炭素原子数１ないし１６のアルキル基を表わし；
その場合、Ｒ9、Ｒ10、およびＲ11は全てが同時に炭素原子数１ないし１６のアルコキシ基または−Ｏ（ＣＨ2ＣＨ2Ｏ）q−炭素原子数１ないし１６のアルキル基とは成りえず；
Ｒ12は水素原子、炭素原子数１ないし８のアルキル基、
【化７】
1998029997.tif 000007
【化８】
1998029997.tif 000008
または
【化９】
1998029997.tif 000009
を表わし、そして
Ｒ13、Ｒ14aおよびＲ14は互いに独立して炭素原子数１ないし４のアルキル基又はフェニル基を表わす。〕で表わされる化合物；及び／又は
少なくとも１つの式ＩＩＩ
【化１０】
1998029997.tif 000010
〔式中、Ｒ15、Ｒ15a、Ｒ16及びＲ17は互いに独立して水素原子、メチル基、フェニル基、メトキシ基、−ＣＯＯＨ、未置換又は炭素原子数１ないし４のアルキル基で置換されたフェニル基、又は基−ＯＣＨ2ＣＨ2ＯＲ12もしくは−ＳＣＨ2ＣＨ2ＯＲ12（式中、Ｒ12は前記式ＩＩで定義したのと同じ基を表わす。）を表わす。〕で表わされる化合物；及び／又は
少なくとも１つの式（ＩＶ）
【化１１】
1998029997.tif 000011
〔式中、Ｒ18は水素原子、炭素原子数１ないし４のアルキル基、炭素原子数１ないし４のアルコキシ基、炭素原子数１ないし４のアルキルチオ基、ハロゲン原子又は基Ｎ（Ｒ22）2を表わし；
Ｒ19はＲ18の定義と同様であるか又は、基ＩＶａ
【化１２】
1998029997.tif 000012
（式中、
式ＩＶからの基Ｒ18とこの基ＩＶａの基Ｒ18とは一緒になって直接結合を表わし、そしてその他の基は下記の定義と同様である。）を表わし；
Ｒ20は、炭素原子数１ないし８のアルキル基を表わし；
Ｒ21は、水素原子、−ＣＨ＝ＣＨＲ24、若しくは未置換のフェニル基又は炭素原子数１ないし１２のアルキル基、炭素原子数１ないし４のアルコキシ基若しくはハロゲン原子によって１ないし３回置換されたフェニル基を表わし；或いは
Ｒ20とＲ21はそれらが結合する炭素原子と一緒になってシクロヘキシル環を形成し；
Ｒ22とＲ23は、互いに独立して炭素原子数１ないし４のアルキル基を表わすか、またはＲ22とＲ23は、それらが結合する窒素原子と一緒になって、−Ｏ−、−ＮＨ−或いは−Ｎ（ＣＨ3）−によって中断され得る５−または６−員の飽和もしくは不飽和環を形成し；
Ｒ24は、水素原子或いは炭素原子数１ないし４のアルキル基を表わし；そして
Ｒ25が水素原子又は炭素原子数１ないし１２のアルキル基を表わす。〕で表わされる化合物から成る光開始剤混合物。
【請求項３】
式ＩＩＩの化合物がベンゾフェノン、２，４，６−トリメチルフェニルフェニルケトン、４−メチルフェニルフェニルケトン、３−メチル−４−メトキシフェニル−３−メチルフェニルケトン、４−（４−メチルフェニルチオ）フェニルフェニルケトン、２−カルボキシフェニルフェニルケトン又は４−（２−ヒドロキシエトキシ）フェニルフェニルケトンであり；
式ＩＩの化合物が１−ベンゾイル−１−ヒドロキシ−１−メチルエタン、１−ベンゾイルシクロヘキサノール、４−〔（２−ヒドロキシエトキシ）ベンゾイル〕−１−ヒドロキシ−１−メチルエタン、１−（４−イソプロピルベンゾイル）−１−ヒドロキシ−１−メチルエタン若しくは２，２−ジメトキシ−１，２−ジフェニルエタン−１−オンであり；
式ＩＶの化合物が１−（３，４−ジメトキシベンゾイル）−１−ベンジル−１−モルホリノプロパン、１−（４−メチルチオベンゾイル）−１−メチル−１−モルホリノエタン、１−（４−モルホリノベンゾイル）−１−ベンジル−１−ジメチルアミノプロパン若しくは３，６−ビス（２−メチル−２−モルホリノプロパン−１−オン）−９−オクチルカルバゾール；及び
式Ｉａの化合物がビス（２，４，６−トリメチルベンゾイル）−２，５−ジイソプロピルフェニルホスフィンオキサイド、ビス〔２，６−ジメチル−４（２−メチルプロピル）ベンゾイル〕フェニルホスフィンオキサイド、ビス（２，６−ジメチルベンゾイル）フェニルホスフィンオキサイド、ビス（２，４，６−トリメチルベンゾイル）フェニルホスフィンオキサイド又はビス（２，４，６−トリメチルベンゾイル）−２，５−ジメチルフェニルホスフィンオキサイドである請求項２記載の光開始剤混合物。
【請求項４】
（ａ）少なくとも１つのエチレン性不飽和光重合性化合物と、
（ｂ）光開始剤として、請求項１記載の式Ｉの化合物少なくとも１つ又は請求項２記載の光開始剤混合物とから成る光重合性組成物。
【請求項５】
エチレン性不飽和二重結合を含有する化合物の光重合方法であって、前記請求項４記載の組成物に２００から６００ｎｍの範囲の光を照射することから成る方法。
【請求項６】
エチレン性不飽和二重結合を含有する化合物の光重合のための式Ｉの化合物、もしくは請求項２記載の光開始剤混合物。
【請求項７】
コーティング材料、印刷インキ、印刷版、歯科用組成物、レジスト材料を製造するための、並びに画像記録材料、特にホログラフィーによる記録のための画像記録材料としての請求項４の組成物。
【請求項８】
請求項４記載の組成物で少なくとも一つの面が被覆されている被覆された支持体。